(57)【特許請求の範囲】
【請求項１】
内視鏡に突設された吸引チューブ接続口金を洗浄するための内視鏡の吸引管路洗浄具であって、
洗浄液が送られてくる洗浄液供給管路の先端に設けられて上記吸引チューブ接続口金の口元開口内に差し込んで着脱自在に接続される接続筒と、上記接続筒が上記吸引チューブ接続口金に接続された状態のときに上記吸引チューブ接続口金の外面に触れないように上記吸引チューブ接続口金の周囲を囲むカバー筒と、上記洗浄液供給管路を通って送られてくる洗浄液の一部を上記接続筒の途中の部分から上記カバー筒内に流出させるための洗浄液流出孔とが設けられていることを特徴とする内視鏡の吸引管路洗浄具。
【請求項２】
上記吸引チューブ接続口金の口元開口部が外側へ漸次広がるテーパ面に形成されていて、上記接続筒の先端部分が上記テーパ面に密着する先細りのテーパ状に形成されている請求項１記載の内視鏡の吸引管路洗浄具。
【請求項３】
上記接続筒の途中の部分においてその内部の洗浄液流路が先細りのテーパ状に形成されていて、そのテーパ部に上記洗浄液流出孔が穿設されている請求項１又は２記載の内視鏡の吸引管路洗浄具。
【発明の詳細な説明】
【０００１】
【発明の属する技術分野】
この発明は、内視鏡に突設された吸引チューブ接続口金を洗浄するための内視鏡の吸引管路洗浄具に関する。
【０００２】
【従来の技術】
一般に内視鏡には吸引管路が内蔵されていて、図４に示されるように、吸引管路１の基端部には、外部吸引装置の吸引チューブ２を着脱自在に接続するための吸引チューブ接続口金３が突設されている。
【０００３】
内視鏡検査が終了したら、内視鏡は必ず洗浄される。その際には吸引管路１や吸引チューブ接続口金３等も完全に洗浄する必要がある。そこで、吸引チューブ２に代えて洗浄液供給チューブを吸引チューブ接続口金３に接続することにより、吸引管路１内を洗浄するようにしている。
【０００４】
吸引チューブ接続口金３は、その外表面３ａも吸引チューブ２に直接触れることによって汚染されている。しかし、図５に示されるように、吸引チューブ接続口金３から吸引チューブ２を取り外し、それに代えて吸引チューブ接続口金３に洗浄液供給チューブを接続しても、斜線が付された吸引チューブ接続口金３の外表面３ａは洗浄されない。
【０００５】
そこで従来は、吸引チューブ接続口金３の外周面に係止される取り付け口金を洗浄液供給チューブの先端に設け、洗浄液供給チューブによって送られてきた洗浄液がその取り付け口金内で吸引チューブ接続口金３の内外両方に分かれて送り出されるようにして、吸引チューブ接続口金３の外表面が洗浄されるようにしていた（特開平８−２４８１３号）。
【０００６】
【発明が解決しようとする課題】
しかし、そのように構成しても、吸引チューブ接続口金３の外周面のうち取り付け口金が接触する部分とその近傍は洗浄されないので、次の使用準備の際に取扱者がそこに触れると不衛生な場合がある。
【０００７】
そこで本発明は、吸引チューブ接続口金の内側に形成された吸引管路だけでなく、吸引チューブ接続口金の外周面もくまなく洗浄することができる内視鏡の吸引管路洗浄具を提供することを目的とする。
【０００８】
【課題を解決するための手段】
上記の目的を達成するため、本発明の内視鏡の吸引管路洗浄具は、内視鏡に突設された吸引チューブ接続口金を洗浄するための内視鏡の吸引管路洗浄具であって、洗浄液が送られてくる洗浄液供給管路の先端に設けられて上記吸引チューブ接続口金の口元開口内に差し込んで着脱自在に接続される接続筒と、上記接続筒が上記吸引チューブ接続口金に接続された状態のときに上記吸引チューブ接続口金の外面に触れないように上記吸引チューブ接続口金の周囲を囲むカバー筒と、上記洗浄液供給管路を通って送られてくる洗浄液の一部を上記接続筒の途中の部分から上記カバー筒内に流出させるための洗浄液流出孔とが設けられていることを特徴とする。
【０００９】
なお、上記吸引チューブ接続口金の口元開口部が外側へ漸次広がるテーパ面に形成されていて、上記接続筒の先端部分が上記テーパ面に密着する先細りのテーパ状に形成されていてもよい。
【００１０】
また、上記接続筒の途中の部分においてその内部の洗浄液流路が先細りのテーパ状に形成されていて、そのテーパ部に上記洗浄液流出孔が穿設されていてもよい。
【００１１】
【発明の実施の形態】
図面を参照して本発明の実施の形態を説明する。
図３は、内視鏡５０と吸引管路洗浄用コネクタ１０とを略示している。
【００１２】
内視鏡５０の操作部５１の下端部には可撓管状の挿入部５２が連結され、操作部５１の上端部近傍には、先端にライトガイドコネクタ部５４が設けられた可撓性の連結管５３が、後方から連結されている。
【００１３】
挿入部５２内には、吸引チャンネルを兼用する鉗子チャンネル５５が全長にわたって挿通配置されている。鉗子挿入口５６は、操作部５１と挿入部５２との連結部付近に突設されている。
【００１４】
吸引チューブ接続口金３は、ライトガイドコネクタ部５４の側面に突設されていて、その吸引チューブ接続口金３と鉗子チャンネル５５との間が、吸引管路５７によって連通接続されている。
【００１５】
吸引管路５７は、操作部５１に配置された吸引操作弁５８に途中の部分が接続されていて、吸引操作弁５８を操作することによって、吸引管路５７を開通／閉塞させることができる。
【００１６】
吸引管路洗浄用コネクタ１０は、吸引チューブ接続口金３に接続される接続筒１２と、接続筒１２が吸引チューブ接続口金３に接続された状態のときに吸引チューブ接続口金３の周囲を囲むカバー筒１３と、一端が内視鏡用自動洗浄具（図示せず）の洗浄液吐出口１００に接続された洗浄液供給チューブ１１などによって構成されている。
【００１７】
図１は、吸引管路洗浄用コネクタ１０が吸引チューブ接続口金３に接続された状態を拡大して示している。
吸引チューブ接続口金３の外周部分は、接続された吸引チューブが簡単に抜け落ちないように、段付き状に太く形成された後端部から先細りのテーパ状に形成されている。３ａはその外表面である。
【００１８】
このテーパ面２０は例えば、注射筒と注射針との接続に用いられているテーパ程度の角度にするとよく、接続筒１２を吸引チューブ接続口金３に強く押し込むことによって接続筒１２が吸引チューブ接続口金３の口元開口に固定され、接続筒１２を手元側へ少し強く引っ張れば、吸引チューブ接続口金３から取り外すことができる。
【００１９】
接続筒１２の後端部分には、洗浄液供給チューブ１１がしっかりと接続固定されている。そして、そのすぐ内側に形成されたねじ部にカバー筒１３が螺合固定されている。
【００２０】
カバー筒１３は、釣鐘状に先端側だけが開放された筒状に形成されており、接続筒１２が吸引チューブ接続口金３に接続された状態において、吸引チューブ接続口金３全体を囲む長さに形成されている。ただし、ライトガイドコネクタ部５４の外壁面との間に隙間ができる長さになっている。
【００２１】
このカバー筒１３は、接続筒１２が吸引チューブ接続口金３に接続された状態のときに、吸引チューブ接続口金３の外面に全く触れず吸引チューブ接続口金３の外表面との間に隙間ができる程度に太く形成されている。
【００２２】
接続筒１２の軸線位置には、洗浄液供給チューブ１１と吸引管路５７とを連通させるための洗浄液流路１４が貫通して穿設されている。
そして、接続筒１２の中間部分には、洗浄液流路１４とカバー筒１３内とを連通させて、洗浄液流路１４を通って送られてくる洗浄液の一部をカバー筒１３内に流出さるせるための洗浄液流出孔１５が穿設されている。
【００２３】
このように構成された吸引管路洗浄用コネクタ１０は、接続筒１２を吸引チューブ接続口金３の口元開口に押し込むことによって、図１に示されるように、接続筒１２が吸引チューブ接続口金３に接続固定された状態になる。
【００２４】
そして、洗浄液供給チューブ１１を通って送られてくる洗浄液が洗浄液流路１４を通り、その一部は吸引管路５７内へ送られて、吸引管路５７及び鉗子チャンネル５５内を全長にわたって洗浄する。
【００２５】
また、洗浄液の一部は、洗浄液流出孔１５からカバー筒１３内を通って、吸引チューブ接続口金３の外表面３ａを洗浄しながら、カバー筒１３の先端開口端から外部（自動洗浄器内）に流出する。
【００２６】
したがって、吸引管路５７内と吸引チューブ接続口金３の外表面３ａとを同時に洗浄することができ、吸引チューブ接続口金３の外表面３ａが、全面にわたってくまなく洗浄液によって洗浄される。
【００２７】
この吸引管路洗浄用コネクタ１０は、内視鏡５０を使用した後に、内視鏡５０を自動洗浄器内に入れた状態で内視鏡５０の吸引チューブ接続口金３に取り付けられる。
【００２８】
ただし、その取り付け前に、吸引チューブ接続口金３から吸引管路５７内へ掃除用ブラシを挿入して、ブラッシング掃除が行われる。したがって、吸引チューブ接続口金３の口元開口のテーパ面２０部分等はそのブラッシングにより掃除される。
【００２９】
図２は本発明の第２の実施の形態を示しており、接続筒１２の途中において、その内部の洗浄液流路１４を先細りのテーパ状に形成して、そのテーパ部に洗浄液流出孔１５を穿設したものである。
【００３０】
このように構成すると、洗浄液流路１４内から洗浄液流出孔１５を通って流出する洗浄液の流れがスムーズになり、吸引チューブ接続口金３の外表面３ａをより確実にくまなく洗浄することができる。
【００３１】
なお、自動洗浄器内において内視鏡５０は洗浄液中に完全に浸漬される。
【００３２】
【発明の効果】
本発明によれば、洗浄液が送られてくる洗浄液供給管路の先端に設けられた接続筒が吸引チューブ接続口金に接続された状態のときに、カバー筒が吸引チューブ接続口金の外面に触れないように吸引チューブ接続口金を囲み、洗浄液供給管路を通って送られてくる洗浄液の一部が接続筒の途中の部分からカバー筒内に流されるので、吸引チューブ接続口金の内側に形成された吸引管路だけでなく、吸引チューブ接続口金の外周面もくまなく洗浄することができ、内視鏡検査における衛生性を向上させることができる。
【図面の簡単な説明】
【図１】本発明の第１の実施の形態の吸引管路洗浄用コネクタが吸引チューブ接続口金に接続された状態の側面断面図である。
【図２】本発明の第２の実施の形態の吸引管路洗浄用コネクタの側面断面図である。
【図３】内視鏡と吸引管路洗浄用コネクタとを示す略示図である。
【図４】吸引チューブ接続口金に吸引チューブが接続された状態の側面断面図である。
【図５】吸引チューブ接続口金から吸引チューブが取り外された状態の側面図である。
【符号の説明】
３  吸引チューブ接続口金
１０  吸引管路洗浄用コネクタ
１１  洗浄液供給チューブ
１２  接続筒
１３  カバー筒
１４  洗浄液流路
１５  洗浄液流出孔
２０  テーパ面
５７  吸引管路
【図１】
0003718314.tif 000002
【図２】
0003718314.tif 000003
【図３】
0003718314.tif 000004
【図４】
0003718314.tif 000005
【図５】
0003718314.tif 000006